【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
印刷物を作成するための１つまたは複数の印刷工程を処理する印刷工程処理手段を有する印刷工程処理装置であって、
印刷画像データと、該印刷画像データに対応する印刷物を作成するための複数の印刷工程とその処理順序を示すスケジューリング情報とその進捗情報を含む印刷工程情報とを記憶する記憶手段と、
前記記憶手段に記憶された印刷工程情報を読み取る読取手段と、
前記印刷工程処理手段による印刷工程の処理後に、前記記憶手段に記憶された印刷工程の進捗情報を更新する更新手段と、
前記読取手段により前記記憶手段から読み取られた印刷工程情報に基づいて、次に行うべき印刷工程が前記印刷工程処理手段により処理されるべきものであるか否かを判定する判定手段と、
前記判定手段により前記次に行うべき印刷工程が前記印刷工程処理手段により処理されるべきものではないと判定された場合に、前記次に行うべき印刷工程を示す表示を行う表示手段と、
を有することを特徴とする印刷工程処理装置。
【請求項２】
印刷物を作成するための１つまたは複数の印刷工程を処理する印刷工程処理手段を有する印刷工程処理装置であって、
印刷画像データと、該印刷画像データに対応する印刷物を作成するための複数の印刷工程とその処理順序を示すスケジューリング情報とその進捗情報を含む印刷工程情報とを記憶する記憶手段と、
前記記憶手段に記憶された印刷工程情報を読み取る読取手段と、
前記印刷工程処理手段による印刷工程の処理後に、前記記憶手段に記憶された印刷工程の進捗情報を更新する更新手段と、
前記読取手段により前記記憶手段から読み取られた印刷工程情報に基づいて、次に行うべき印刷工程を前記印刷工程処理手段に処理させるように前記印刷工程処理手段の動作を制御する制御手段と、
を有することを特徴とする印刷工程処理装置。
【請求項３】
前記制御手段は、前記読取手段により前記記憶手段から読み取られた印刷工程情報に基づいて、次に行うべき印刷工程が前記印刷工程処理手段により処理されるべきものではないと判定した場合に、前記印刷工程処理手段による印刷工程処理動作を禁止するように制御することを特徴とする請求項２に記載の印刷工程処理装置。
【請求項４】
前記制御手段は、前記読取手段により前記記憶手段から読み取られた印刷工程情報に基づいて、次に行うべき印刷工程が前記印刷工程処理手段により処理されるべきものではないと判定した場合に、警告を行うように制御することを特徴とする請求項２又は３に記載の印刷工程処理装置。
【請求項５】
前記記憶手段は、印刷工程情報の一部として特定の印刷工程処理手段の使用を指定するための情報を記憶するものであり、
前記制御手段は、前記読取手段により前記記憶手段から読み取られた印刷工程情報に含まれる特定の印刷工程処理手段の使用を指定するための情報に基づいて、次に行うべき印刷工程が前記印刷工程処理手段により処理されるべきものであるか否かを判定することを特徴とする請求項３又は４に記載の印刷工程処理装置。
【請求項６】
前記特定の印刷工程処理手段は、特定の機種のカラー印刷手段を含むことを特徴とする請求項５に記載の印刷工程処理装置。
【請求項７】
前記特定の印刷工程処理手段は、特定の機体のカラー印刷手段を含むことを特徴とする請求項５に記載の印刷工程処理装置。
【請求項８】
前記記憶手段は、可搬型の記憶手段であることを特徴とする請求項１乃至７のいずれか１項に記載の印刷工程処理装置。
【請求項９】
前記記憶手段は、特定のユーザ又は特定の印刷工程処理装置のみ記憶内容にアクセス可能にするための認証機能を有することを特徴とする請求項１乃至８のいずれか１項に記載の印刷工程処理装置。
【請求項１０】
印刷物を作成するための１つまたは複数の印刷工程を処理する印刷工程処理手段と、可搬型の記憶手段に対して情報の読み取り及び書き込みを行う読書手段とを有する印刷工程処理装置に設けられたプロセッサが実行する印刷工程処理方法であって、
印刷画像データと、該印刷画像データに対応する印刷物を作成するための複数の印刷工程とその処理順序を示すスケジューリング情報とその進捗情報を含む印刷工程情報とを記憶する可搬型の記憶手段から前記印刷工程情報を前記読書手段を用いて読み取る読取ステップと、
前記印刷工程処理手段による印刷工程の処理後に、前記可搬型の記憶手段に記憶された印刷工程の進捗情報を前記読書手段を用いて更新する更新ステップと、
前記読取ステップにおいて前記可搬型の記憶手段から読み取られた印刷工程情報に基づいて、次に行うべき印刷工程が前記印刷工程処理手段により処理されるべきものであるか否かを判定する判定ステップと、
前記判定ステップにおいて前記次に行うべき印刷工程が前記印刷工程処理手段により処理されるべきものではないと判定された場合に、前記次に行うべき印刷工程を示す表示を表示手段に行うように制御する表示ステップと、
を有することを特徴とする印刷工程処理方法。
【請求項１１】
印刷物を作成するための１つまたは複数の印刷工程を処理する印刷工程処理手段と、可搬型の記憶手段に対して情報の読み取り及び書き込みを行う読書手段とを有する印刷工程処理装置に設けられたプロセッサが実行する印刷工程処理方法であって、
印刷画像データと、該印刷画像データに対応する印刷物を作成するための複数の印刷工程とその処理順序を示すスケジューリング情報とその進捗情報を含む印刷工程情報とを記憶する可搬型の記憶手段から前記印刷工程情報を前記読書手段を用いて読み取る読取ステップと、
前記印刷工程処理手段による印刷工程の処理後に、前記可搬型の記憶手段に記憶された印刷工程の進捗情報を前記読書手段を用いて更新する更新ステップと、
前記読取ステップにおいて前記可搬型の記憶手段から読み取られた印刷工程情報に基づいて、次に行うべき印刷工程を前記印刷工程処理手段に処理させるように前記印刷工程処理手段の動作を制御する制御ステップと、
を有することを特徴とする印刷工程処理方法。
【請求項１２】
印刷物を作成するための１つまたは複数の印刷工程を処理する印刷工程処理手段と、可搬型の記憶手段に対して情報の読み取り及び書き込みを行う読書手段とを有する印刷工程処理装置に設けられたプロセッサに、請求項１０又は１１に記載された印刷工程処理方法を実行させるためのプログラム。
【請求項１３】
印刷物を作成するための１つまたは複数の印刷工程を処理する印刷工程処理手段と、可搬型の記憶手段に対して情報の読み取り及び書き込みを行う読書手段とを有する印刷工程処理装置に設けられたプロセッサに、請求項１０又は１１に記載された印刷工程処理方法を実行させるためのプログラムをコンピュータが読み取り可能に記憶した記憶媒体。
【手続補正２】
【補正対象書類名】明細書
【補正対象項目名】発明の名称
【補正方法】変更
【補正の内容】
【発明の名称】印刷工程処理装置および印刷工程処理方法およびプログラムおよび記憶媒体
【手続補正３】
【補正対象書類名】明細書
【補正対象項目名】００１１
【補正方法】変更
【補正の内容】
【００１１】
本発明は、上述したような問題を解決した印刷工程処理方法およびプログラムおよび記憶媒体を提供することを目的とする。
【手続補正４】
【補正対象書類名】明細書
【補正対象項目名】００１２
【補正方法】変更
【補正の内容】
【００１２】
また、本発明は、従来技術で想定しているような課題も解決できる、様々なニーズにも対応可能な、使い勝手の良い、円滑且つ柔軟なシステムを構築できる、印刷工程処理方法およびプログラムおよび記憶媒体を提供することを目的とする。
【手続補正５】
【補正対象書類名】明細書
【補正対象項目名】００１３
【補正方法】変更
【補正の内容】
【００１３】
さらに、本発明は、例えば、スキルの低い作業者でも誤りなく確かな印刷処理を行うことが出来る、印刷工程処理方法およびプログラムおよび記憶媒体を提供することを目的とする。
【手続補正６】
【補正対象書類名】明細書
【補正対象項目名】００１４
【補正方法】変更
【補正の内容】
【００１４】
また、本発明は、例えば、スキルの低い作業者でも印刷画像データの秘匿性を維持した印刷処理を容易に行うことが出来る、印刷工程処理方法およびプログラムおよび記憶媒体を提供することを目的とする。
【手続補正７】
【補正対象書類名】明細書
【補正対象項目名】００１５
【補正方法】変更
【補正の内容】
【００１５】
さらに、本発明は、例えば、受注文書ごとに処理をする機種，機材を指定できるので、仕上がりの精度やカラー印刷の場合の色味の一貫性を向上した印刷物を提供できる、印刷工程処理方法およびプログラムおよび記憶媒体を提供することを目的とする。
【手続補正８】
【補正対象書類名】明細書
【補正対象項目名】００１６
【補正方法】変更
【補正の内容】
【００１６】
また、本発明は、例えば、印刷データの流出や、無駄な印刷、間違った作業を避けることができ、スキルの低い作業者でも付加価値の高い印刷サービスを提供可能な印刷処理環境を構築することができる、印刷工程処理方法およびプログラムおよび記憶媒体を提供することを目的とする。
【手続補正９】
【補正対象書類名】明細書
【補正対象項目名】００１７
【補正方法】変更
【補正の内容】
【００１７】
本発明は、印刷物を作成するための１つまたは複数の印刷工程を処理する印刷工程処理手段を有する印刷工程処理装置であって、印刷画像データと、該印刷画像データに対応する印刷物を作成するための複数の印刷工程とその処理順序を示すスケジューリング情報とその進捗情報を含む印刷工程情報とを記憶する記憶手段と、前記記憶手段に記憶された印刷工程情報を読み取る読取手段と、前記印刷工程処理手段による印刷工程の処理後に、前記記憶手段に記憶された印刷工程の進捗情報を更新する更新手段と、前記読取手段により前記記憶手段から読み取られた印刷工程情報に基づいて、次に行うべき印刷工程が前記印刷工程処理手段により処理されるべきものであるか否かを判定する判定手段と、前記判定手段により前記次に行うべき印刷工程が前記印刷工程処理手段により処理されるべきものではないと判定された場合に、前記次に行うべき印刷工程を示す表示を行う表示手段とを有することを特徴とする。
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】変更
【補正の内容】
【００２２】
本発明によれば、スキルの低い作業者でも誤りなく確かな印刷処理を行うことが出来る。
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】